(57)【要約】      （修正有）【課題】ツボ押具を兼ねた浮きが付いたチェーンを、浴槽の水抜き栓に連結させ、浮きを引っ張り上げることにより、浴槽の栓を抜くことができると共に、浮きをツボ押具としても利用でき、快適に入浴ができる風呂の水抜き栓用浮き兼ツボ押具を提供する。【解決手段】中心部を貫く孔を有する単数又は複数個のツボ押玉２と、ツボ押玉の孔を貫いて下端部を風呂の栓１００に連結する連結部材３と、連結部材にツボ押玉をそれぞれ移動可能に保持する保持手段２−１と、を少なくとも備えた風呂の水抜き栓用浮き兼ツボ押具であって、ツボ押玉が浮きとなり、かつ、ツボ押玉を人体によって浴槽の壁面又は底面に押付けることにより、ツボ押しできることを特徴とする。【選択図】図１
0003211951.tif 000002
【実用新案登録請求の範囲】
【請求項１】
中心部を貫く孔を有する単数又は複数個のツボ押玉と、前記ツボ押玉の前記孔を貫いて下端部を風呂の栓に連結する連結部材と、該連結部材に前記ツボ押玉をそれぞれ移動可能に保持する保持手段と、を少なくとも備えた風呂の水抜き栓用浮き兼ツボ押具であって、前記ツボ押玉が浮きとなり、かつ、前記ツボ押玉を人体によって浴槽の壁面又は底面に押付けることにより、ツボ押しできることを特徴とする風呂の水抜き栓用浮き兼ツボ押具。
【請求項２】
前記ツボ押玉が中空のボールであり、保持手段がボール用バルブであることを特徴とする請求項１に記載の風呂の水抜き栓用浮き兼ツボ押具。
【請求項３】
前記ツボ押玉が、表面に単数又は複数の突起を備えたことを特徴とする請求項１又は２に記載の風呂の水抜き栓用浮き兼ツボ押具。
【請求項４】
前記連結部材が、ボールチェーンであることを特徴とする請求項１又は２又は３に記載の風呂の水抜き栓用浮き兼ツボ押具。
【考案の詳細な説明】
【技術分野】
【０００１】
本考案は、浴槽の壁面又は底面に、人体によってツボ押具を押付けて、ツボ押効果を得ると共に、風呂の水抜き栓を抜くための浮きにもなる風呂の水抜き栓用浮き兼ツボ押具に関するものである。
【背景技術】
【０００２】
従来、浴槽に残った残り湯を排水する際には、冷えたお湯に手を入れて、水抜き栓を、又は、栓に連結した鎖を、引張って栓を抜き排水を行っていた。
【０００３】
しかし、冷え切った残り湯に手を入れると非常に冷たく、特に冬場は不快であった。そこで、水抜き栓に連結したブイを浴槽に浮かべて、そのブイを掴んで引き上げることによって浴槽の栓を抜く方法が先行技術として開示されている（文献１）。
【先行技術文献】
【特許文献】
【０００４】
【特許文献１】特開２００７−１８５４７４号公報。
【考案の概要】
【考案が解決しようとする課題】
【０００５】
前記の先行技術は、浴槽の残り湯に手を入れることなく水抜き栓を抜ける点で優れているが、浴槽に入浴する際には、ブイが邪魔になるおそれがあった。
【０００６】
そこで、上記の問題を解決するために、ツボ押具を兼ねた浮きが付いたチェーンを、浴槽の水抜き栓に連結させて、該浮きを引っ張り上げることによって、浴槽の栓を抜くことができると共に、浮きをツボ押具としても利用できるので、快適に入浴することができる風呂の水抜き栓用浮き兼ツボ押具を考案して提供するものである。
【課題を解決するための手段】
【０００７】
本考案の請求項１に係る風呂の水抜き栓用浮き兼ツボ押具は、中心部を貫く孔を有する単数又は複数個のツボ押玉と、前記ツボ押玉の前記孔を貫いて下端部を風呂の栓に連結する連結部材と、該連結部材に前記ツボ押玉をそれぞれ移動可能に保持する保持手段と、を少なくとも備えた風呂の水抜き栓用浮き兼ツボ押具であって、前記ツボ押玉が浮きとなり、かつ、前記ツボ押玉を人体によって浴槽の壁面又は底面に押付けることにより、ツボ押しできることを特徴とする。
【０００８】
この構成を採用することによって、本考案に係る請求項１の風呂の水抜き栓用浮き兼ツボ押具は、単数又は複数の球状のツボ押玉の中心部を貫くようにした連結部材で繋がっており、連結部材の下端部は、浴槽の水抜き栓に連結している。よって、浮いているツボ押玉を引っ張り上げれば、手を残り湯に入れずとも浴槽の栓が抜ける。また、入浴時に、ツボ押玉を、背中、腰、ふともも、ふくらはぎ、足の裏で、浴槽の壁面や床面に押し付けることによって、又、ツボ押玉を手に握ることによって、ツボ押し効果を得ることができる。また、それぞれのツボ押玉を移動可能に連結部材に保持できるので、使用者の体格に合わせてツボ押玉を配置することができる。よって、使用者に合わせて的確にツボ押しをすることができて、確実なツボ押効果を得ることができる。
【０００９】
また、風呂の水抜き栓用浮き兼ツボ押具は、風呂の水抜き栓に複数本連結させて使用することによって、例えば背中全面のように、一度に、人体の多数の箇所で、ツボ押玉によってツボ押し効果を得ることができる。
【００１０】
本考案の請求項２に係る風呂の水抜き栓用浮き兼ツボ押具は、請求項１に記載の風呂の水抜き栓用浮き兼ツボ押具において、前記ツボ押玉が中空のボールであり、保持手段がボール用バルブであることを特徴とする。
【００１１】
この構成を採用することによって、本考案の風呂の水抜き栓用浮き兼ツボ押具は、ツボ押玉によるツボ押しの強さを、空気量を調整することによって適切に緩やかにでき、使用者にとって最適な強さのツボ押しをすることができると共に、浮力を確保できるので、確実に浴槽の水面上に浮かぶことができるので、栓を抜く際に、手が濡れ難くなり、また掴み易くなる。
【００１２】
また、本考案の請求項３に係る風呂の水抜き栓用浮き兼ツボ押具は、請求項１又は２に記載の風呂の水抜き栓用浮き兼ツボ押具において、前記ツボ押玉が、表面に単数又は複数の突起を備えたことを特徴とする。
【００１３】
これらの構成を採用することによって、本考案に係る請求項３の風呂の水抜き栓用浮き兼ツボ押具は、小さなツボを的確に刺激することができる。
【００１４】
また、本考案の請求項４に係る風呂の水抜き栓用浮き兼ツボ押具は、請求項１又は２又は３に記載の風呂の水抜き栓用浮き兼ツボ押具において、前記連結部材が、ボールチェーンであることを特徴とする。
【００１５】
この構成をとることによって、ボールチェーンは錆びないので、風呂の水抜き栓用浮き兼ツボ押具は、劣化し難い。また、線形を自在に動かすことができるので、的確にツボ押玉をツボに当てることができる。
【考案の効果】
【００１６】
本考案に係る請求項１から４の風呂の水抜き栓用浮き兼ツボ押具によれば、浴槽の残り湯を排水するために、栓を抜く際に、手が濡れ難い。よって、冬場でも不快にならない。また、元から設置された栓が破損して切断してしまったとしても、手を浴槽の残り湯に突っ込まずに栓を抜くことができる。また、入浴中は、ツボ押玉として使用できるので、邪魔にならない。また、ツボ押玉を人体のツボに押し付けたり、握ったりすることによって、ツボ押し効果によってコリが解消し、血行もよくなるので、温浴効果を高めることができる。また、使用者の体格に合わせて的確にツボ押しをすることができて、確実なツボ押効果を得ることができる。
【図面の簡単な説明】
【００１７】
【図１】図１は、本考案を実施するための形態に係る風呂の水抜き栓用浮き兼ツボ押具の模式的斜視図である。
【図２】図２は、本考案を実施するための形態に係る風呂の水抜き栓用浮き兼ツボ押具の使用状態を示す模式的断面図である。
【図３】図３は、本考案を実施するための形態に係る風呂の水抜き栓用浮き兼ツボ押具の別の形態の使用状態を示す模式的斜視図である。
【図４】図４は、本考案を実施するための形態に係る風呂の水抜き栓用浮き兼ツボ押具であって、（ａ）は、浮き兼ツ押具の模式的斜視図であり、（ｂ）は、（ａ）の中空タイプのＡ−Ａ矢視断面図であり、（ｃ）は、（ａ）の中実タイプのＡ−Ａ矢視断面図であり、（ｄ）は、突起部を有する浮き兼ツボ押具の模式的斜視図である。
【図５】図５は、本考案を実施するための形態に係る風呂の水抜き栓用浮き兼ツボ押具であって、中空タイプのツボ押玉と連結部材とを示す模式的断面図である。
【考案を実施するための形態】
【００１８】
本考案に係る風呂の水抜き栓用浮き兼ツボ押具１は、図１に示すように、少なくとも、それぞれのツボ押玉２の中心部を貫くように貫通孔２−２が設けられた複数個のツボ押玉２と、該複数個のツボ押玉２を連結して、下端部を風呂の水抜き栓１００に連結する連結部材３と、それぞれのツボ押玉２と、連結部材３とを移動可能に保持する保持手段２−１と、から構成される。なお、ツボ押玉２は、一つだけを用いてもよい。また、連結部材３の下端部に、水抜き栓１００又はその付属品である接続金物１１０に連結するための栓連結部材４を設けてもよい。
【００１９】
ツボ押玉２は、直径が２ｃｍ〜７ｃｍの中空のボール又は中実の玉である。中空のボールの場合は、ツボ押しをする際に弾力があり、また、空気量で弾力を調整できるので、適切な力でツボ押しをすることができて快適である。また、ツボ押玉２は、図４に示すように、中心部を通るように一直線上の貫通孔２−２が設けられており、この貫通孔２−２に、連結部材３を通して、それぞれのツボ押玉２を連結して使用することができるようになる。また、貫通孔２−２のそれぞれの入口部には、保持手段２−１を兼ねたボール用バルブが備えられている。このボール用バルブ２−１によって、ツボ押玉２に力を加えても中の空気が漏れることはなく、また、空気量を調整して適切な弾力を得ることができて、さらに、連結部材３を締め付けて保持することができる。なお、ツボ押玉２は、シリコーン、天然ゴム、イソプレンゴム、ブタジエンゴム、スチレン・ブタジエンゴム、ブチルゴム、エチレン・プロピレンゴム、シリコーンゴム又はエチレン・酢酸ビニルゴムを用いたものが、ツボ押しの弾力性や比重の観点から好適である。
【００２０】
ツボ押玉２は、図２に示すように、入浴者５００のツボの位置で、ツボ押玉２を浴槽３００の壁面又は床面に押し付けることによって、ツボ押効果を得ることができる。よって、コリが改善されて血行がよくなり、体の芯までお風呂で温まることができる。また、ツボ押玉２には、突起２−３を設けた方がよりツボ押効果を高めることができる。
【００２１】
また、ツボ押玉２は、連結部材３によって、浴槽３００の水抜き栓１００に連結しており、ツボ押玉２は、中空であるので、浮くことができ、連結部材３の長さを十分にしているので、少なくとも最上部のツボ押玉２は、浴槽３００に張られたお湯の水面に浮いている。この浮きとなっているツボ押玉２を引っ張りあげることによって、浴槽３００の水抜き栓１００が排水口から外れ、残り湯を排水することができる。よって、元から備えられた水抜き栓１００の鎖２００が、壊れて切断してしまった場合でも、元の鎖の代替とすることができ、手を濡らさずに、残り湯を排水することができる。
【００２２】
また、手を用いて移動したい方向に力を加えることによって、ツボ押玉２は、連結部材３上に沿って、任意の位置に移動させることができて、手を外して移動させる力を抜けば、その位置で保持できる。
【００２３】
中実のツボ押玉２は、貫通孔２−２と入口部のボール用バルブを設けてあるので、連結部材３を保持することができる。中実のツボ押玉２は、木製などが浮力の観点から好適である。
【００２４】
連結部材３は、鎖や、例えば、太目の釣り糸などのひも状のものがよく、ボールチェーンが、耐久性があり好適である。また、連結部材３は、浴槽３００のお湯の水面又は入浴者５００の背中に届く長さがあればよく、長さ５０ｃｍ〜１２０ｃｍが好適である。なお、連結部材３は、水抜き栓１００に直接連結してもよいし、栓１００に付属している接続金物１１０に接続してもよい。
【００２５】
栓連結部材４は、連結部材３を水抜き栓１００又は接続金物１１０に接続する際に用いられるが、連結部材３を直接水抜き栓１００や接続金物１００に連結する場合には、無くともよい。
【００２６】
本考案に係る風呂の水抜き栓用浮き兼ツボ押具１の製造方法の一例を説明する。まず、ボール用バルブ２−１が中心部を貫通する孔の表裏の２つ備えられたシリコーンのゴムボールを数個作成してツボ押玉２とし、次に、十分な長さのあるボールチェーン３を、ツボ押玉２の片方の前記ボール用バルブ２−１から通して、反対側のボール用バルブ２−１から抜く。これを所定の個数連結させた後、下端部に栓連結部材４を取り付けて完成である。なお、上端部にもツボ押玉２が抜け落ちないように、留めを設けて、抜け落ち防止処理をするのがよい。
【００２７】
次に、本考案に係る風呂の水抜き栓用浮き兼ツボ押具１の使用方法の一例を図２に基づいて説明する。まず、浴槽３００の水抜き栓１００の接続金物１１０に、栓連結部材４を連結して、本考案に係る風呂の水抜き栓用浮き兼ツボ押具１を設置する。この風呂の水抜き栓用浮き兼ツボ押具１をもう１組を同様に設置して、本考案に係る風呂の水抜き栓用浮き兼ツボ押具１を２組を浴槽３００に設置する。次に、浴槽３００にお湯を張り、そして、入浴する。そして、ツボ押玉２が入浴者５００の背中のツボに当たるように、ツボ押玉２をボールチェーン３上を所定の位置に移動させて保持し、そして、背中や腰のツボで、ツボ押玉２を浴槽３００の壁面に押し付けて、ツボ押効果を得ながら入浴する。さらに、風呂の水抜き栓用浮き兼ツボ押具１のツボ押玉２と連結部材３を移動させて、ふくらはぎのツボに当たるようにセットして、ふくらはぎのツボで、ツボ押玉２を浴槽３００の床面に押し付けてツボ押効果を得ることができる。同様にして、コリがある足の裏や太もも等で、ツボ押玉２を床面に押し付けてもよいし、手のひらツボ押玉２を握ってツボを刺激してもよい。なお、入浴者５００の入浴時の向きは、図２の通りでもよいし、反対向きでもよいし、どちらの向きでもよい。また、複数個のツボ押玉２の大きさは、それぞれ、使用目的のツボに合わせて、統一されていてもよいし、異なっていてもよいし、どちらでもよい。
【００２８】
また、本考案に係る風呂の水抜き栓用浮き兼ツボ押具１の別の形態の使用方法の一例を図３に基づいて説明する。本考案に係る風呂の水抜き栓用浮き兼ツボ押具１は、上記と同様に、風呂の水抜き栓用浮き兼ツボ押具１を水抜き栓１００に設置して、お湯を張り入浴し、そのままお湯を置いておく。翌日、浴槽の残り湯を排水する際に、冬季であれば、お湯は冷え切っていて、手が濡れると大変不快であるが、本考案に係る風呂の水抜き栓用浮き兼ツボ押具１の水面に浮かんでいるツボ押玉２を摘んで持ち上げれば、水抜き栓１００に連結部材３で連結されているので、栓１００が排水口から外れ、手を濡らさずに排水できる。
【００２９】
本考案に係る風呂の水抜き栓用浮き兼ツボ押具１を用いれば、浴槽１００の残り湯を排水するために栓１００を抜く際に、手が濡れ難い。よって、冬場でも不快にならない。また、元から設置された栓１００に連結されていた鎖２００が破損して切断されたとしても、手を浴槽３００の残り湯に突っ込まずに栓１００を抜くことができる。また、入浴中は、ツボ押玉２として使用できるので、邪魔にならない。また、ツボ押玉２を入浴者５００のツボに押し付けたり、握ったりすることによって、ツボ押し効果によってコリが解消し、血行もよくなるので、温浴効果を高めることができる。また、使用者の体格に合わせて的確にツボ押しをすることができ、また、ツボ押玉の弾力も調整できるので、確実なツボ押効果を得ることができる。
【産業上の利用可能性】
【００３０】
風呂の栓抜きやツボ押しの分野で広く利用できる。
【符号の説明】
【００３１】
１：風呂の水抜き栓用浮き兼ツボ押具
２：ツボ押玉
２−１：保持手段（ボール用バルブ）    ２−２：貫通孔      ２−３：突起
３：連結部材（ボールチェーン）
４：栓連結部材
１００：水抜き栓
１１０：接続金物
１２０：リング
２００：鎖
３００：浴槽
５００：入浴者
【図１】
0003211951.tif 000003
【図２】
0003211951.tif 000004
【図３】
0003211951.tif 000005
【図４】
0003211951.tif 000006
【図５】
0003211951.tif 000007